(57)【要約】【課題】回り込み音声に影響されず発話者方向を正確に検出する放収音装置を提供する。【解決手段】信号差分回路１９１は対称関係の収音ビーム信号を差分した差分信号ＭＳ１〜ＭＳ４を生成する。ＢＰＦ１９２，全波整流回路１９３Ａ、ピーク検出回路１９４Ａは差分信号ＭＳ１〜ＭＳ４のピーク検出を行い、レベル比較器１９５Ａは最も信号レベルの高い差分信号ＭＳを選択指定する。信号選択回路１９６はこの指定に基づく差分信号ＭＳの収音ビーム信号ＭＢ１ｘ、ＭＢ２ｘを選択する。ＨＰＦ１９７は収音ビーム信号ＭＢ１ｘ、ＭＢ２ｘのハイパス処理信号を生成する。全波整流回路１９３Ｂ、ピーク検出回路１９４Ｂはハイパス処理信号のピーク検出を行い、レベル比較器１９５Ｂは信号レベルの高いハイパス処理信号すなわち収音ビーム信号ＭＢａｘを選択指定する。信号選択回路１９８はこの指定に基づく収音ビーム信号ＭＢａｘを出力する。【選択図】図３
2007251782.tif 000002
【特許請求の範囲】
【請求項１】
所定基準面に対して対称となる音圧で音声を放音するスピーカと、
前記所定基準面の一方側の音声を収音する第１マイク群および他方側の音声を収音する第２マイク群と、
前記第１マイク群の収音信号に基づく第１収音ビーム信号群の各収音ビーム信号と、前記第２マイク群の収音信号に基づく第２収音ビーム信号群の各収音ビーム信号とを前記所定軸に対して対称に生成する収音ビーム信号生成手段と、
互いに対称となる収音ビーム信号同士を差分して、信号レベルが最も高い差分信号を構成する２つの収音ビーム信号の高域成分のみを抽出し、信号レベルが高い方の高域成分信号を検出して対応する収音ビーム信号を選択する収音ビーム信号選択手段と、
を備えたことを特徴とする放収音装置。
【請求項２】
前記収音ビーム信号選択手段は、
互いに対称となる収音ビーム信号同士を差分して、信号レベルが最も高い差分信号を検出する差分信号検出手段と、
該差分信号検出手段で検出された差分信号の元となる２つの収音ビーム信号の高域成分のみを通過させる高域通過フィルタを備え、高域通過フィルタを通過した高域成分信号同士のうちで信号レベルが高い方の高域成分信号を検出する高域成分信号抽出手段と、
該高域成分信号抽出手段で検出された高域成分信号に対応する収音ビーム信号を選択して出力する選択手段と、
を備えた請求項１に記載の放収音装置。
【請求項３】
前記第１マイク群と前記第２マイク群とは、それぞれに複数のマイクが前記所定基準面に沿って一直線状に配列されたマイクアレイである請求項１または請求項２に記載の放収音装置。
【請求項４】
前記スピーカは、前記所定基準面に沿って一直線状に配列された複数の単体スピーカにより構成される請求項１〜３のいずれかに記載の放収音装置。
【請求項５】
前記入力音声信号と前記収音ビーム信号選択手段で選択された収音ビーム信号とに基づいて、前記スピーカから放音された音声が出力音声信号に含まれないように制御する回帰音除去手段を備えた請求項１〜４のいずれかに記載の放収音装置。
【発明の詳細な説明】
【技術分野】
【０００１】
この発明は、ネットワーク等を介して複数の地点間で行う音声会議に用いる放収音装置、特にマイクとスピーカとが一体化された放収音装置に関するものである。
【背景技術】
【０００２】
従来、遠隔地間で音声会議を行う方法として、音声会議を行う地点毎に放収音装置を設置して、これら装置をネットワークで接続し、音声信号を通信する方法が多く用いられている。そして、このような音声会議に利用される放収音装置が各種考案されている。
【０００３】
特許文献１の音声会議装置（放収音装置）は、ネットワークを介して入力される音声信号を天面に配置されたスピーカから放音し、側面に配置された異なる複数方向をそれぞれの正面方向とする各マイクで収音した音声信号を、ネットワークを介して外部に送信する。
【０００４】
また、特許文献２の場内拡声装置（放収音装置）は、マイクロホンアレイの各マイクからの収音信号に対して遅延処理を行うことで発話者方向を検出し、当該発話者に近いスピーカからの放音量を低減させる。
【特許文献１】特開平８−２９８６９６号公報
【特許文献２】特開平１１−５５７８４号公報
【発明の開示】
【発明が解決しようとする課題】
【０００５】
しかしながら、特許文献１の装置では、マイクとスピーカとが近接することで、各マイクの収音信号にスピーカからの回り込み音声が多く含まれる。このため、各マイクの収音信号に基づいて発話者方向を特定し、当該方向に対応する収音信号を選択する場合に、回り込み音声によって発話者方向を誤検出してしまうことがある。
【０００６】
また、特許文献２の装置では、回り込み音声を含む収音信号に遅延処理を行って発話者方向を検出するため、特許文献１と同様に回り込み音声による影響を除去できず、誤検知してしまうことがある。
【０００７】
したがって、この発明の目的は、回り込み音声の影響を除去して発話者方向を正確に検出することができる放収音装置を提供することにある。
【課題を解決するための手段】
【０００８】
この発明の放収音装置は、所定基準面に対して対称となる音圧で音声を放音するスピーカと、所定基準面の一方側の音声を収音する第１マイク群および他方側の音声を収音する第２マイク群と、第１マイク群の収音信号に基づく第１収音ビーム信号群の各収音ビーム信号と第２マイク群の収音信号に基づく第２収音ビーム信号群の各収音ビーム信号とを所定軸に対して対称に生成する収音ビーム信号生成手段と、互いに対称となる収音ビーム信号同士を差分して信号レベルが最も高い差分信号を構成する２つの収音ビーム信号の高域成分のみを抽出し、信号レベルが高い方の高域成分信号を検出して対応する収音ビーム信号を選択する収音ビーム信号選択手段と、を備えたことを特徴としている。
【０００９】
この構成では、第１収音ビーム信号群の各収音ビーム信号と、第２収音ビーム信号群の各収音ビーム信号とが基準面に対して対称であるので、面対称の関係にある収音ビーム信号同士の回り込み音声成分は基準面に垂直な方向に対して同じ大きさになる。このため、これら回り込み音声成分同士が相殺し、差分信号に含まれる回り込み音声成分が抑圧される。また、前記の面対称の関係から、ともに音源（発話者）方向でない収音ビーム信号の組による差分信号の信号レベルは略０となり、一方が音源方向である収音ビーム信号の組による差分信号の信号レベルは高レベルとなる。したがって、高レベルの差分信号を選択することで、基準面に平行でマイク群のマイク配列方向に沿った音源位置が検出される。次に、この検出した差分信号の元となる２つの収音ビーム信号の信号レベルを比較することで、基準面の直交する方向の音源位置が検出される。この際、高域成分のみを用いることで、スピーカからの回り込み音声の影響が除去される。これは、当該放収音装置が接続する一般的な通信ネットワークでは高い帯域が制限されていることによるものであり、収音ビーム信号の高域成分は発話者からの音声でのみ形成されるからである。
【００１０】
また、この発明の放収音装置の収音ビーム信号選択手段は、互いに対称となる収音ビーム信号同士を差分して信号レベルが最も高い差分信号を検出する差分信号検出手段と、該差分信号検出手段で検出された差分信号の元となる２つの収音ビーム信号の高域成分のみを通過させる高域通過フィルタを備えて高域通過フィルタを通過した高域成分信号同士のうちで信号レベルが高い方の高域成分信号を検出する高域成分信号抽出手段と、該高域成分信号抽出手段で検出された高域成分信号に対応する収音ビーム信号を選択して出力する選択手段と、を備えたことを特徴としている。
【００１１】
この構成では、前述の収音ビーム信号選択手段の具体的な構成として、差分信号検出手段、高域通過フィルタを備えた高域成分信号抽出手段、および選択手段を有する。差分信号検出手段は、対称となる収音ビーム信号同士を差分して、高レベルの差分信号を検出する。高域成分信号抽出手段は、検出した差分信号の元となる収音ビーム信号の高域通過処理による高域成分信号から、信号レベルの高い方の高域成分信号を検出する。選択手段は、検出した差分信号の元となる２つの収音ビーム信号から、検出した高域成分信号に対応する収音ビーム信号を選択して出力する。
【００１２】
また、この発明の放収音装置は、第１マイク群と第２マイク群とを、それぞれに複数のマイクが所定基準面に沿って一直線状に配列されたマイクアレイで構成することを特徴としている。
【００１３】
この構成では、所定基準面に沿ってマイクアレイを構成することで、各マイクの収音信号に基づいて収音ビーム信号を生成する場合に、各収音信号に対して遅延処理等の簡素な信号処理を行うだけでよい。
【００１４】
また、この発明の放収音装置は、スピーカを、所定基準面に沿って一直線状に配列された複数の単体スピーカにより構成することを特徴としている。
【００１５】
この構成では、複数の単体スピーカを所定基準面に沿って配置することで、所定基準面に対して、放音音声がさらに対称になりやすい。
【００１６】
また、この発明の放収音装置は、入力音声信号と収音ビーム信号選択手段で選択された収音ビーム信号とに基づいて、スピーカから放音された音声が出力音声信号に含まれないように制御する回帰音除去手段を備えたことを特徴としている。
【００１７】
この構成では、収音ビーム信号選択手段から出力された収音ビーム信号から回り込み音声成分がさらに除去される。
【発明の効果】
【００１８】
この発明によれば、放音信号によることなく、正確に発話者等の音源方向を検出し、当該方向からの音声を効果的に収音する放収音装置を構成することができる。
【発明を実施するための最良の形態】
【００１９】
本発明の実施形態に係る放収音装置について図を参照して説明する。
図１（Ａ）は本実施形態に係る放収音装置１のマイク、スピーカ配置を示す平面図であり、図１（Ｂ）は図１（Ａ）に示す放収音装置１により形成される収音ビーム領域を示す図である。
【００２０】
図２は本実施形態の放収音装置１の機能ブロック図である。また、図３は図２に示す収音ビーム選択部１９の構成を示すブロック図である。
【００２１】
本実施形態の放収音装置１は、筐体１０１に、複数のスピーカＳＰ１〜ＳＰ３、複数のマイクＭＩＣ１１〜ＭＩＣ１７，ＭＩＣ２１〜ＭＩＣ２７、図３に示す機能部を備えて成る。
【００２２】
筐体１０１は一方向に長尺な略直方体形状からなり、筐体１０１の長尺な辺（面）の両端部には、筐体１０１の下面を設置面から所定間隔離間する所定高さの脚部（図示せず）が設置されている。なお、以下の説明では、筐体１０１の四側面のうち、長尺な面を長尺面、短尺な面を短尺面と称する。
【００２３】
筐体１０１の下面には、同形状からなる無指向性の単体スピーカＳＰ１〜ＳＰ３が設置されている。これら単体スピーカＳＰ１〜ＳＰ３は長尺方向に沿って一定の間隔で直線状に設置されており、且つ、各単体スピーカＳＰ１〜ＳＰ３の中心を結ぶ直線は、筐体１０１の長尺面に沿い、短尺面の中心間を結ぶ中心軸１００と水平方向位置が一致するように設置されている。すなわち、中心軸１００を含む垂直な基準面にスピーカＳＰ１〜ＳＰ３の中心を結ぶ直線が配置される。このように、単体スピーカＳＰ１〜ＳＰ３を配列設置することでスピーカアレイＳＰＡ１０が構成される。このような状態では、スピーカアレイＳＰＡ１０の各単体スピーカＳＰ１〜ＳＰ３から相対的な遅延制御が行われていない音声を放音すると、放音音声は二つの長尺面に同等に伝わる。この際、二つの対向する長尺面に伝搬する放音音声は、前記基準面に対して直交する互いに対称な方向へ進行する。
【００２４】
筐体１０１の一方の長尺面には、同（スペック）のマイクＭＩＣ１１〜ＭＩＣ１７が設置されている。これらマイクＭＩＣ１１〜ＭＩＣ１７は長尺方向に沿って一定の間隔で直線状に設置されており、これによりマイクアレイＭＡ１０が構成される。また、筐体１０１の他方の長尺面にも、同（スペック）のマイクＭＩＣ２１〜ＭＩＣ２７が設置されている。これらマイクＭＩＣ２１〜ＭＩＣ２７も長尺方向に沿って一定の間隔で直線状に設置されており、これにより、マイクアレイＭＡ２０が構成される。マイクアレイＭＡ１０とマイクアレイＭＡ２０とはその配列軸の垂直位置が一致するように配置されており、さらに、マイクアレイＭＡ１０の各マイクＭＩＣ１１〜ＭＩＣ１７と、マイクアレイＭＡ２０の各マイクＭＩＣ２１〜ＭＩＣ２７とは、それぞれ前記基準面に対して対称な位置に配置されている。具体的に、例えば、マイクＭＩＣ１１とマイクＭＩＣ２１とが基準面に対して対称の関係にあり、同様にマイクＭＩＣ１７とマイクＭＩＣ２７とが対称の関係にある。
【００２５】
なお、本実施形態では、スピーカアレイＳＰＡ１０のスピーカ数を３本とし、各マイクアレイＭＡ１０，ＭＡ２０のマイク数をそれぞれ７本としたが、これに限ることなく、仕様に応じてスピーカ数およびマイク数は適宜設定すればよい。また、スピーカアレイの各スピーカ間隔およびマイクアレイの各マイク間隔は一定ではなくてもよく、例えば、長尺方向に沿って中央部で密に配置され、両端部に向かうに従って疎に配置されるような態様でもよい。
【００２６】
次に、図２に示すように、本実施形態の放収音装置１は、機能的に、入出力コネクタ１１、入出力Ｉ／Ｆ１２、放音指向性制御部１３、Ｄ／Ａコンバータ１４、放音用アンプ１５、前述のスピーカアレイＳＰＡ１０（スピーカＳＰ１〜ＳＰ３）、前述のマイクアレイＭＡ１０，ＭＡ２０（マイクＭＩＣ１１〜ＭＩＣ１７，ＭＩＣ２１〜ＭＩＣ２７）、収音用アンプ１６、Ａ／Ｄコンバータ１７、収音ビーム生成部１８１，１８２、収音ビーム選択部１９、および、エコーキャンセル部２０を備える。
【００２７】
入出力Ｉ／Ｆ１２は、入出力コネクタ１１を介して入力された、他の放収音装置からの入力音声信号をネットワークに対応するデータ形式（プロトコル）から変換して、エコーキャンセル部２０を介して放音指向性制御部１３に与える。また、入出力Ｉ／Ｆ１２は、エコーキャンセル部２０で生成される出力音声信号をネットワークに対応するデータ形式（プロトコル）に変換して、入出力コネクタ１１を介して、ネットワークに送信する。この際、入出力Ｉ／Ｆ１２は、出力音声信号を帯域制限した音声信号をネットワークに送信する。これは、全周波数成分を有する音声信号はデータ量が膨大になるので、そのままの出力音声信号をネットワークに伝送すると、ネットワークの伝送速度が著しく低下するからであり、さらに、所定の高域成分（例えば、３．５ｋＨｚ以上の周波数成分）を伝搬しなくても、相手側の放収音装置で、十分に会話音声を再生することができるからである。このため、相手側の放収音装置からの入力音声信号も所定閾値以上の高域成分が存在しない音声信号である。
【００２８】
放音指向性制御部１３は、指定された放音指向性に基づいて、スピーカアレイＳＰＡ１０の各スピーカＳＰ１〜ＳＰ３にそれぞれ固有の遅延処理及び振幅処理等を入力音声信号に対して行い個別放音信号を生成する。放音指向性制御部１３は、これら個別放音信号をスピーカＳＰ１〜ＳＰ３毎に設置されたＤ／Ａコンバータ１４に出力する。各Ｄ／Ａコンバータ１４は個別放音信号をアナログ形式に変換して各放音用アンプ１５に出力し、各放音用アンプ１５は個別放音信号を増幅してスピーカＳＰ１〜ＳＰ３に与える。
【００２９】
スピーカＳＰ１〜ＳＰ３は、与えられた個別放音信号を音声変換して外部に放音する。この際、スピーカＳＰ１〜ＳＰ３は筐体１０１の下面に設置されているので、放音された音声は、放収音装置１が設置される机の設置面を反射して、会議者のいる装置の横から斜め上方に向かって伝搬される。
【００３０】
マイクアレイＭＡ１０，ＭＡ２０の各マイクＭＩＣ１１〜ＭＩＣ１７、ＭＩＣ２１〜ＭＩＣ２７は、無指向性であっても有指向性であってもよいが、有指向性であることが望ましく、放収音装置１の外部からの音声を収音して電気変換し、収音信号を各収音用アンプ１６に出力する。各収音用アンプ１６は、収音信号を増幅してそれぞれＡ／Ｄコンバータ１７に与え、Ａ／Ｄコンバータ１７は、収音信号をデジタル変換して収音ビーム生成部１８１，１８２に出力する。収音ビーム生成部１８１には、一方の長尺面に設置されたマイクアレイＭＡ１０の各マイクＭＩＣ１１〜ＭＩＣ１７での収音信号が入力され、収音ビーム生成部１８２には、他方の長尺面に設置されたマイクアレイＭＡ２０のマイクＭＩＣ２１〜ＭＩＣ２７での収音信号が入力される。
【００３１】
収音ビーム生成部１８１は、各マイクＭＩＣ１１〜ＭＩＣ１７の収音信号に対して所定の遅延処理等を行い、収音ビーム信号ＭＢ１１〜ＭＢ１４を生成する。収音ビーム信号ＭＢ１１〜ＭＢ１４は、図１（Ｂ）に示すように、マイクＭＩＣ１１〜ＭＩＣ１７が設置された長尺面側で当該長尺面に沿ってそれぞれに異なる所定幅の領域が収音ビーム領域に設定されている。
【００３２】
収音ビーム生成部１８２は、各マイクＭＩＣ２１〜ＭＩＣ２７の収音信号に対して所定の遅延処理等を行い、収音ビーム信号ＭＢ２１〜ＭＢ２４を生成する。収音ビーム信号ＭＢ２１〜ＭＢ２４は、図１（Ｂ）に示すように、マイクＭＩＣ２１〜ＭＩＣ２７が設置された長尺面側で当該長尺面に沿ってそれぞれに異なる所定幅の領域が収音ビーム領域に設定されている。
【００３３】
この際、収音ビーム信号ＭＢ１１と収音ビーム信号ＭＢ２１とは、前記中心軸１００を有する垂直面（基準面）に対して対称なビームとして形成される。同様に、収音ビーム信号ＭＢ１２と収音ビーム信号ＭＢ２２、収音ビーム信号ＭＢ１３と収音ビーム信号ＭＢ２３、収音ビーム信号ＭＢ１４と収音ビーム信号ＭＢ２４も、前記基準面に対して対称なビームとして形成される。
【００３４】
収音ビーム選択部１９は、入力された収音ビーム信号ＭＢ１１〜ＭＢ１４、ＭＢ２１〜ＭＢ２４から最適な収音ビーム信号ＭＢを選択してエコーキャンセル部２０に出力する。
【００３５】
図３は、収音ビーム選択部１９の主要構成を示すブロック図である。
収音ビーム選択部１９は、信号差分回路１９１、ＢＰＦ（バンドパスフィルタ）１９２、全波整流回路１９３Ａ，１９３Ｂ、ピーク検出回路１９４Ａ，１９４Ｂ、レベル比較器１９５Ａ，１９５Ｂ、信号選択回路１９６，１９８、ＨＰＦ（ハイパスフィルタ）１９７を備える。
【００３６】
信号差分回路１９１は、収音ビーム信号ＭＢ１１〜ＭＢ１４、ＭＢ２１〜ＭＢ２４から、前記基準面に対称な収音ビーム信号同士を差分演算する。具体的に、収音ビーム信号ＭＢ１１とＭＢ２１とを差分演算して差分信号ＭＳ１を生成し、収音ビーム信号ＭＢ１２とＭＢ２２とを差分演算して差分信号ＭＳ２を生成する。また、収音ビーム信号ＭＢ１３とＭＢ２３とを差分演算して差分信号ＭＳ３を生成し、収音ビーム信号ＭＢ１４とＭＢ２４とを差分演算して差分信号ＭＳ４を生成する。このように生成される差分信号ＭＳ１〜ＭＳ４では、元となる収音ビーム信号同士が基準面上のスピーカアレイの軸に対して対称になるので、互いに含まれる回り込み音声成分が相殺される。したがって、スピーカからの回り込み音声成分が抑圧された信号となる。
【００３７】
ＢＰＦ１９２は、ビーム特性を主に有する帯域および人の音声の主成分帯域を通過帯域とするバンドパスフィルタであり、差分信号ＭＳ１〜ＭＳ４を帯域通過フィルタ処理して、全波整流回路１９３Ａに出力する。全波整流回路１９３Ａは、差分信号ＭＳ１〜ＭＳ４を全波整流（絶対値化）し、ピーク検出回路１９４Ａは、全波整流された差分信号ＭＳ１〜ＭＳ４のピーク検出を行い、ピーク値データＰｓ１〜Ｐｓ４を出力する。レベル比較器１９５Ａは、ピーク値データＰｓ１〜Ｐｓ４を比較して、最も高いレベルのピーク値データＰｓに対応する差分信号ＭＳを選択する選択指示データを信号選択回路１９６に与える。これは発話者が存在する収音領域に対応する収音ビーム信号の信号レベルが他の領域に対応する収音ビーム信号の信号レベルよりも高いことを利用している。
【００３８】
図４は、本実施形態の放収音装置１を机Ｃ上に配置し、二人の会議者Ａ，Ｂが会議を行っている状況を示した図であり、（Ａ）は会議者Ａが発言している状況、（Ｂ）は会議者Ｂが発言している状況、（Ｃ）は会議者Ａ，Ｂともに発言していない状況を示す。
【００３９】
例えば、図４（Ａ）に示すように、収音ビーム信号ＭＢ１３に対応する領域にいる会議者Ａが発言すると、収音ビーム信号ＭＢ１３の信号レベルが他の収音ビーム信号ＭＢ１１，ＭＢ１２，ＭＢ１４、ＭＢ２１〜ＭＢ２４の信号レベルよりも高くなる。このため、収音ビーム信号ＭＢ１３から収音ビーム信号ＭＢ２３を差分した差分信号ＭＳ３の信号レベルが差分信号ＭＳ１，ＭＳ２，ＭＳ４の信号レベルよりも高くなる。この結果、差分信号ＭＳ３のピーク値データＰｓ３が、他のピーク値データＰｓ１，Ｐｓ２，Ｐｓ４より高くなり、レベル比較器１９５Ａは、ピーク値データＰｓ３を検出して、差分信号ＭＳ３を選択する選択指示データを信号選択回路１９６に与える。一方、図４（Ｂ）に示すように、収音ビーム信号ＭＢ２１に対応する領域にいる会議者Ｂが発言すると、レベル比較器１９５Ａは、ピーク値データＰｓ１を検出して、差分信号ＭＳ１を選択する選択指示データを信号選択回路１９６に与える。
【００４０】
なお、図４（Ｃ）に示すように当方の会議者Ａ，Ｂが発言していない状況では、レベル比較器１９５Ａは、ピーク値データＰｓ１〜Ｐｓ４の全てが所定の閾値に達していないことを検出すると直前の選択指示データを信号選択回路１９６に与える。
【００４１】
信号選択回路１９６は、与えられた選択指示データに指示された差分信号ＭＳを構成する二つの収音ビーム信号ＭＢ１ｘ，ＭＢ２ｘ（ｘ＝１〜４）を選択する。例えば、図４（Ａ）の状況であれば、差分信号ＭＳ３を構成する収音ビーム信号ＭＢ１３，ＭＢ２３を選択し、図４（Ｂ）の状況であれば、差分信号ＭＳ１を構成する収音ビーム信号ＭＢ１１，ＭＢ２１を選択する。
【００４２】
ＨＰＦ１９７は、選択された収音ビーム信号ＭＢ１ｘ，ＭＢ２ｘの高域成分のみを通過させるフィルタ処理を行い、全波整流回路１９３Ｂに出力する。このような高域成分通過処理、言い換えれば高域成分以外の減衰処理を行うことで、前述のように高域成分の存在しない入力音声信号すなわち回り込み音声の成分を除去することができる。これにより、自装置側の会議者からの音声のみが含まれるハイパス処理信号が形成される。全波整流回路１９３Ｂは、各収音ビーム信号ＭＢ１ｘ、ＭＢ２ｘに対応するハイパス処理信号を全波整流（絶対値化）し、ピーク検出回路１９４Ｂでピーク検出して、ピーク値データＰｂ１，Ｐｂ２を出力する。レベル比較器１９５Ｂは、ピーク値データＰｂ１，Ｐｂ２を比較して、高いレベルのピーク値データに対応する収音ビーム信号ＭＢａｘ（ａ＝１ｏｒ２）を選択する選択指示データを信号選択回路１９８に与える。これは、発話者が存在する収音領域に対応する収音ビーム信号の信号レベルが基準面に対して対向する収音領域に対応する収音ビーム信号の信号レベルよりも高いことを利用している。
【００４３】
例えば、図４（Ａ）に示すように、収音ビーム信号ＭＢ１３に対応する領域にいる会議者Ａが発言すると、収音ビーム信号ＭＢ１３の信号レベルが収音ビーム信号ＭＢ２３の信号レベルよりも高くなる。このため、収音ビーム信号ＭＢ１３のピーク値データＰｂ１が、収音ビーム信号ＭＢ２３のピーク値データＰｂ２より高くなり、レベル比較器１９５Ｂは、ピーク値データＰｂ１を検出して、収音ビーム信号ＭＢ１３を選択する選択指示データを信号選択回路１９８に与える。一方、図４（Ｂ）に示すように、収音ビーム信号ＭＢ２１に対応する領域にいる会議者Ｂが発言すると、レベル比較器１９５Ｂは、ピーク値データＰｂ２を検出して、収音ビーム信号ＭＢ２１を選択する選択指示データを信号選択回路１９８に与える。なお、レベル比較器１９５Ｂは、図４（Ｃ）に示すように発言者がおらず二つの収音ビーム信号ＭＢ１ｘ，ＭＢ２ｘのピーク値データＰｂ１，Ｐｂ２が所定の閾値以下であれば、直前の選択指示データを信号選択回路１９８に与える。
【００４４】
信号選択回路１９８は、信号選択回路１９６で選択された収音ビーム信号ＭＢ１ｘ，ＭＢ２ｘから、レベル比較器１９５Ｂの選択指示データに従って信号レベルの高い方を選択して、収音ビーム信号ＭＢとしてエコーキャンセル部２０に出力する。
【００４５】
例えば、前述のように図４（Ａ）の状況であれば、収音ビーム信号ＭＢ１３と収音ビーム信号ＭＢ２３とから、選択指示データに従って収音ビーム信号ＭＢ１３を選択して出力する。一方、図４（Ｂ）の状況であれば、収音ビーム信号ＭＢ１１と収音ビーム信号ＭＢ２１とから、選択指示データに従って収音ビーム信号ＭＢ２１を選択して出力する。また、図４（Ｃ）の状況であれば、選択指示データに従って直前の収音ビーム信号が収音ビーム信号ＭＢ１３であれば収音ビーム信号ＭＢ１３を出力し、直前の収音ビーム信号が収音ビーム信号ＭＢ２１であれば収音ビーム信号ＭＢ２１を出力する。このような処理を行うことで、スピーカからマイクへの回り込み音声に影響されることなく、発言者方向を検出して、当該方向に指向性の中心を設定した収音ビーム信号ＭＢを生成することができる。すなわち、発言者からの音声を高いＳ／Ｎ比で収音することができる。
【００４６】
エコーキャンセル部２０は、適応型フィルタ２０１とポストプロセッサ２０２とを備える。適応型フィルタ２０１は、入力音声信号に対して、選択された収音ビーム信号ＭＢの収音指向性に基づく擬似回帰音信号を生成する。ポストプロセッサ２０２は、収音ビーム選択部１９から出力される収音ビーム信号ＭＢから擬似回帰音信号を減算して、出力音声信号として入出力Ｉ／Ｆ１２に出力する。このようなエコーキャンセル処理を行うことにより、適切なエコー除去が行われ、自装置の話者音声のみが出力音声信号として、ネットワークに送信される。
【００４７】
以上のように、本実施形態の構成を用いることにより、回り込み音声に影響されることなく発言者方向を検出することができる。これにより、発言者からの音声を高いＳ／Ｎ比で収音して、相手側放収音装置に送信することができる。
【図面の簡単な説明】
【００４８】
【図１】本実施形態に係る放収音装置のマイク、スピーカ配置を示す平面図、および、放収音装置により形成される収音ビーム領域を示す図である。
【図２】本実施形態の放収音装置の機能ブロック図である。
【図３】図２に示す収音ビーム選択部１９の構成を示すブロック図である。
【図４】本実施形態の放収音装置１を机Ｃ上に配置し、二人の会議者Ａ，Ｂが会議を行っている状況を示した図である。
【符号の説明】
【００４９】
１−放収音装置、１０１−筐体、１１−入出力コネクタ、１２−入出力Ｉ／Ｆ、１３−放音指向性制御部、１４−Ｄ／Ａコンバータ、１５−放音用アンプ、１６−収音用アンプ、１７−Ａ／Ｄコンバータ、１８１，１８２−収音ビーム生成部、１９−収音ビーム選択部、１９１−信号差分回路、１９２−ＢＰＦ、１９３Ａ，Ｂ−全波整流回路、１９４Ａ，Ｂ−ピーク検出回路、１９５Ａ，Ｂ−レベル比較器、１９６，１９８−信号選択回路、１９７−ＨＰＦ、２０−エコーキャンセル部、２０１−適応型フィルタ、２０２−ポストプロセッサ、ＳＰ１〜ＳＰ３−スピーカ、ＳＰＡ１０−スピーカアレイ、ＭＩＣ１１〜ＭＩＣ１７，ＭＩＣ２１〜ＭＩＣ２７−マイク、ＭＡ１０，ＭＡ２０−マイクアレイ
【図１】
2007251782.tif 000003
【図２】
2007251782.tif 000004
【図３】
2007251782.tif 000005
【図４】
2007251782.tif 000006